(57)【要約】  評価対象者の顔印象評価を手軽に取得可能な印象分析装置、ゲーム装置、健康管理装置、印象分析システム、印象分析方法、プログラム、及びプログラム記録媒体を提供することを目的とする。  本発明の印象分析装置２は、予め取得された顔画像と、前記顔画像に対する印象評価者の印象評価とを関連付けて印象情報として記憶する記憶部１１と、前記顔画像から特徴部を抽出し、前記印象情報を参照して評価基準を生成する学習部１２と、学習部１２により生成した評価基準によって、評価対象者の顔画像から印象評価を作成する印象分析結果作成部１３と、を含むことを特徴とする。
2015122195.tif 000002
【特許請求の範囲】
【請求項１】
予め取得された顔画像と、前記顔画像に対する印象評価者の印象評価とを関連付けて印象情報として記憶する記憶手段と、  前記顔画像から特徴部を抽出し、前記印象情報を参照して評価基準を生成する学習手段と、  前記学習手段により生成した評価基準によって、評価対象者の顔画像を基に印象分析結果を作成する印象分析結果作成手段と、を含むことを特徴とする印象分析装置。
【請求項２】
前記印象評価者は、特定の業種、職種、及び属性からなる群の少なくとも一つに属する者から構成されている請求項１記載の印象分析装置。
【請求項３】
前記記憶手段は、前記顔画像に対する特定状況に応じた印象評価者の印象評価を関連付けて前記印象情報として記憶し、  前記印象分析結果作成手段は、前記特定状況に応じて、前記印象分析結果を作成する請求項１又は２記載の印象分析装置。
【請求項４】
前記印象分析結果は、前記印象評価者が付与した印象評価の推定結果であり、前記推定結果に付随して、利用目的に即したアドバイス及びリコメンデーションの少なくとも一方を含む請求項１から３のいずれか一項に記載の印象分析装置。
【請求項５】
さらに、印象情報登録手段を備え、  前記印象情報登録手段は、前記評価対象者の顔画像と、前記評価対象者の識別情報と、前記印象分析結果作成手段により作成された前記印象分析結果とを関連付けて印象情報として前記記憶手段に登録する請求項１から４のいずれか一項に記載の印象分析装置。
【請求項６】
さらに、印象情報検出手段を備え、  前記印象情報検出手段は、特定の印象評価と、前記記憶手段に記憶された前記印象情報の前記印象分析結果と合致した印象情報を検出する  請求項５記載の印象分析装置。
【請求項７】
さらに、印象分析結果画像作成手段を備え、  前記印象分析結果画像作成手段は、前記印象分析結果作成手段により作成された前記印象分析結果に基づいて、印象分析結果画像を作成する請求項１から６のいずれか一項に記載の印象分析装置。
【請求項８】
前記印象分析結果画像は、前記印象分析結果に基づいて、前記評価対象者の前記顔画像を加工した顔画像を含む請求項７記載の印象分析装置。
【請求項９】
さらに、印象比較情報作成手段を備え、  前記印象比較情報作成手段は、前記印象分析結果作成手段により作成された前記各顔画像の印象分析結果を比較して印象比較結果を作成する請求項１から８のいずれか一項に記載の印象分析装置。
【請求項１０】
さらに、広告選択手段を備え、  前記広告選択手段は、前記評価対象者の前記印象分析結果に応じて広告を選択する請求項１から９のいずれか一項に記載の印象分析装置。
【請求項１１】
さらに、入力手段及び出力手段を備え、  前記入力手段は、前記特定の印象評価を入力する手段、及び前記評価対象者の顔画像を撮像する手段の少なくとも一方を含み、  前記出力手段は、前記検出された印象情報を表示する手段、並びに前記印象分析結果作成手段により作成された前記印象分析結果、前記印象分析結果画像、前記広告情報、及び前記印象比較結果からなる群の少なくとも一つを表示する手段の少なくとも一方を含む請求項１から１０のいずれか一項に記載の印象分析装置。
【請求項１２】
請求項１から１１のいずれか一項に記載の印象分析装置を含むことを特徴とするゲーム装置。
【請求項１３】
請求項１から１１のいずれか一項に記載の印象分析装置を含むことを特徴とする健康管理装置。
【請求項１４】
請求項１から１１のいずれか一項に記載の印象分析装置を含むことを特徴とする広告支援装置。
【請求項１５】
請求項１から１１のいずれか一項に記載の印象分析装置を含むサーバと、  入力端末と、出力端末と、を備え、  前記入力端末及び出力端末は、通信回線網を介して、前記サーバと接続されており、  前記入力端末は、前記特定の印象評価を入力する手段、及び前記評価対象者の顔画像を撮像する手段の少なくとも一方を含み、  前記出力端末は、前記検出された印象情報を表示する手段、並びに前記印象分析結果作成手段により作成された前記印象分析結果、前記印象分析結果画像、前記広告情報、及び前記印象比較結果からなる群の少なくとも一つを表示する手段の少なくとも一方を含むことを特徴とする印象分析システム。
【請求項１６】
顔画像から特徴部を抽出し、前記顔画像と前記顔画像に対する印象評価者の印象評価とを関連付けた前記印象情報を参照して評価基準を生成し、  前記評価基準によって、評価対象者の顔画像を基に印象分析結果を作成する、印象分析方法。
【請求項１７】
前記印象評価者は、特定の業種、職種、及び属性からなる群の少なくとも一つに属する者から構成されている請求項１６記載の印象分析方法。
【請求項１８】
前記印象情報は、前記顔画像と前記顔画像に対する特定状況に応じた印象評価者の印象評価とを関連付けており、  前記特定状況に応じて、前記印象分析結果を作成する請求項１６又は１７記載の印象分析方法。
【請求項１９】
前記印象分析結果は、前記印象評価者が付与した印象評価の推定結果であり、前記推定結果に付随して、利用目的に即したアドバイス及びリコメンデーションの少なくとも一方を含む請求項１６から１８のいずれか一項に記載の印象分析方法。
【請求項２０】
前記評価対象者の顔画像と、前記評価対象者の識別情報と、前記印象分析結果とを関連付けて印象情報とする請求項１６から１９のいずれか一項に記載の印象分析方法。
【請求項２１】
特定の印象評価と、前記記憶手段に記憶された前記印象情報の前記印象分析結果と合致した印象情報を検出する  請求項２０記載の印象分析方法。
【請求項２２】
前記印象分析結果に基づいて、印象分析結果画像を作成する請求項１６から２１のいずれか一項に記載の印象分析方法。
【請求項２３】
前記印象分析結果画像は、前記印象分析結果に基づいて、前記評価対象者の前記顔画像を加工した顔画像を含む請求項２２のいずれか一項に記載の印象分析方法。
【請求項２４】
前記評価対象者の前記印象分析結果に応じて広告を選択する請求項１６から２３のいずれか一項に記載の印象分析方法。
【請求項２５】
前記各顔画像の前記印象分析結果を比較して印象比較結果を作成する請求項１６から２４のいずれか一項に記載の印象分析方法。
【請求項２６】
前記特定の印象評価を入力及び前記評価対象者の顔画像を撮像の少なくとも一方を行い、  前記検出された印象情報を表示、並びに前記印象分析結果、前記印象分析結果画像、前記広告情報、及び前記印象比較結果からなる群の少なくとも一つを表示の少なくとも一方を行う請求項１６から２５のいずれか一項に記載の印象分析方法。
【請求項２７】
予め取得された顔画像と、前記顔画像に対する印象評価者の印象評価とを関連付けて印象情報として記憶手段に記憶する記憶処理と、  前記顔画像から特徴部を抽出し、前記印象情報を参照して評価基準を生成する学習処理と、  前記学習処理により生成した評価基準によって、評価対象者の顔画像を基に印象分析結果を作成する印象分析結果作成処理と、を記憶したプログラムをコンピュータ読取り可能なプログラム記録媒体。
【発明の詳細な説明】
【技術分野】
【０００１】  本発明は、印象分析装置、ゲーム装置、健康管理装置、広告支援装置、印象分析システム、印象分析方法、プログラム、及びプログラム記録媒体に関する。
【背景技術】
【０００２】  近年、顔画像認識技術の急速な発展により、年齢、性別などの属性情報を顔画像から推定する技術が、自動販売機や電子看板などで活用されている（例えば、特許文献１）。前記顔画像認識技術は、マーケティングやセキュリティ等多岐に応用可能であり、個々人に対応したサービスを展開するために重要な技術になりつつある。
【先行技術文献】
【特許文献】
【０００３】
【特許文献１】特開２０１１−１８１２５号公報
【発明の概要】
【発明が解決しようとする課題】
【０００４】  しかしながら、前記顔画像認識技術を顔の印象分析に利用した例はこれまでにない。その一方で、評価対象者の顔に対する他人の印象評価は、気になるものである。しかしながら、他人に評価対象者の顔に対する印象評価を聞きにくく、また客観的な評価が得られにくいという問題がある。【０００５】  そこで、本発明は、評価対象者の顔に対する印象評価を手軽に取得可能な印象分析装置、ゲーム装置、健康管理装置、広告支援装置、印象分析システム、印象分析方法、プログラム、及びプログラム記録媒体を提供することを目的とする。
【課題を解決するための手段】
【０００６】  前記目的を達成するために、本発明の印象分析装置は、予め取得された顔画像と、顔画像に対する印象評価者の印象評価とを関連付けて印象情報として記憶する記憶部と、顔画像から特徴部を抽出し、印象情報を参照して評価基準を生成する学習部と、印象情報に基づいて学習した評価基準によって、評価対象者の顔画像から印象分析結果を作成する印象分析結果作成部と、を含むことを特徴とする。【０００７】  前記目的を達成するために、本発明のゲーム装置は、本発明の前記印象分析装置を含むことを特徴とする。【０００８】  前記目的を達成するために、本発明の健康管理装置は、本発明の前記印象分析装置を含むことを特徴とする。【０００９】  前記目的を達成するために、本発明の広告支援装置は、本発明の前記印象分析装置を含むことを特徴とする。【００１０】  前記目的を達成するために、本発明の印象分析システムは、本発明の前記印象分析装置を含むサーバと、入力端末と、出力端末と、を含み、前記入力端末及び出力端末は、通信回線網を介して、前記サーバと接続されており、前記入力端末は、前記特定の印象評価を入力する部、及び前記評価対象者の顔画像を撮像する部の少なくとも一方を含み、前記出力端末は、前記検出された印象情報を表示する部、並びに前記印象分析結果作成部により作成された前記印象分析結果、前記印象分析結果画像、前記広告情報、及び前記印象比較結果からなる群の少なくとも一つを表示する部の少なくとも一方を含むことを特徴とする。【００１１】  前記目的を達成するために、本発明の印象分析方法は、予め取得された顔画像と、前記顔画像に対する印象評価者の印象評価とを関連付けて印象情報として記憶部に記憶する記憶工程と、前記顔画像から特徴部を抽出し、前記印象情報を参照して評価基準を生成する学習工程と、前記学習工程により生成した評価基準によって、評価対象者の顔画像から印象分析結果を作成する印象分析結果作成工程と、を含むことを特徴とする。【００１２】  前記目的を達成するために、本発明のプログラムは、本発明の前記印象分析方法をコンピュータに実行させることを特徴とする。【００１３】  前記目的を達成するために、本発明のプログラム記録媒体は、本発明の前記プログラムを記録したコンピュータ読み取り可能な記録媒体であることを特徴とする。
【発明の効果】
【００１４】  本発明は、評価対象者の顔に対する印象評価を手軽に取得可能な印象分析装置、ゲーム装置、健康管理装置、広告支援装置、印象分析システム、印象分析方法、プログラム、及びプログラム記録媒体を提供することが可能である。
【図面の簡単な説明】
【００１５】
【図１】図１は、本発明の第一の実施形態に係る印象分析システムの一例の構成を示すブロック図である。
【図２】図２は、本発明の第一の実施形態に係る印象分析装置の一例を示すブロック図である。
【図３】図３は、本発明の第一の実施形態に係る印象分析方法の一例を示すフローチャートである。
【図４】図４は、本発明の第一の実施形態に係る印象分析システムの利用例の一例を示す図である。
【図５】図５は、本発明の第二の実施形態に係る印象分析装置の一例を示すブロック図である。
【図６】図６は、本発明の第二の実施形態に係る印象分析方法の一例を示すフローチャートである。
【図７】図７は、本発明の第二の実施形態に係る印象分析方法の一例を示すフローチャートである。
【図８】図８は、本発明の第二の実施形態に係る印象分析システムの利用例の一例を示す図である。
【図９】図９は、本発明の第三の実施形態に係るゲーム装置の利用例の一例を示す図である。
【図１０】図１０は、本発明の第四の実施形態に係る健康管理装置の利用例の一例を示す図である。
【図１１】図１１は、本発明の第一の実施形態に係る印象分析装置のハードウェア構成の一例を示す図である。
【発明を実施するための形態】
【００１６】  つぎに、本発明について例をあげて説明する。ただし、本発明は、以下の説明に限定されない。なお、以下の図１から図１０において、同一部分には、同一符号を付し、その説明を省略する場合がある。
【００１７】［第一の実施形態］（印象分析システム）  図１に本実施形態の印象分析システム１０の一例の構成を示すブロック図を示す。図示のように、印象分析システム１０では、印象分析装置２を含むサーバ３と、入力端末１Ａと、出力端末１Ｂと、を主要な構成要素として含む。図１に示すように、入力端末及び出力端末１は、通信回線網４を介して、サーバ３と接続されている。通信回線網４は、特に制限されず、公知の通信回線網を使用できる。具体的には、通信回線網４は、例えば、インターネット回線、電話回線、ＬＡＮ（Ｌｏｃａｌ  Ａｒｅａ  Ｎｅｔｗｏｒｋ）等が挙げられ、無線、有線、あるいはこれらが組み合わされた通信回線であってもよい。
【００１８】（入力端末及び出力端末）  入力端末及び出力端末１は、同一の端末であってもよく、別々に分かれていてもよい。  入力端末１Ａは、特定の印象評価を入力する部、及び評価対象者の顔画像を撮像する部の少なくとも一方を含む。出力端末１Ｂは、印象情報検出部により検出された印象情報を表示する部、並びに印象分析結果作成部１３により作成された印象分析結果、印象分析結果画像、広告情報、及び印象比較結果からなる群の少なくとも一つを表示する部の少なくとも一方を含む。特定の印象評価を入力する部は、特に制限されず、例えば、一般的な文字入力手段若しくは音声入力手段等が挙げられる。また、撮像部は、ＣＣＤ（Ｃｈａｒｇｅ  Ｃｏｕｐｌｅｄ  Ｄｅｖｉｃｅ）カメラ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ、スキャナ等が挙げられる。入力端末及び出力端末１は、特に制限されず、例えば、携帯電話、スマートフォン、パーソナルコンピュータ（ＰＣ）、タブレット端末等が挙げられ、好ましくは、携帯電話、スマートフォン、タブレット端末である。尚、出力端末１Ｂは、さらに、印象評価を入力する際に評価する顔画像を表示する手段を含んでも良い。
【００１９】  尚、後述の通り、本実施形態の印象分析装置２は、入力端末１Ａ及び出力端末１Ｂをそれぞれ、入力部及び出力部として含んでいても良い。この場合、印象分析装置２は、入力部及び出力部として通信回線網４を介さず直接サーバ３とつながる。
【００２０】（印象分析装置）  次に、図２に、本実施形態の印象分析装置２の一例の構成を示すブロック図を示す。図２に示す本実施形態の装置２は、記憶部１１と、学習部１２と、印象分析結果作成部１３と、印象分析結果画像作成部１４と、印象比較情報作成部１５と、広告選択部１６と、を含む。図２に示すように、記憶部１１、印象分析結果画像作成部１４、印象比較情報作成部１５、及び広告選択部１６は、通信回線網４に接続可能となっている。  記憶部１１は、予め取得された顔画像と、顔画像に対する印象評価者の印象評価とを関連付けて印象情報として記憶する。また、記憶部１１は、例えば、評価対象者の顔画像も記憶してもよい。学習部１２は、顔画像から特徴部を抽出し、印象情報を参照して評価基準を生成する。印象分析結果作成部１３は、学習部１２により生成した評価基準によって、評価対象者の顔画像から印象分析結果を作成する。例えば、評価対象者の顔画像が、記憶部１１に記憶されている場合、印象分析結果作成部１３は、記憶部１１に記憶されている評価対象者の顔画像から印象分析結果を作成する。  印象分析結果画像作成部１４は、印象分析結果作成部により作成された印象分析結果に基づいて、印象分析結果画像を作成する。印象比較情報作成部１５は、印象分析結果作成部１３により作成された各顔画像の印象分析結果を比較して印象比較結果を作成する。広告選択部１６は、評価対象者の印象分析結果に応じて広告を選択する。尚、印象分析結果画像作成部１４、印象比較情報作成部１５、及び広告選択部１６は、任意の構成要素であって、いずれかの一方のみを備えていても良い。
【００２１】  記憶部１１は、特に制限されず、例えば、データベースまたはサーバ、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。記憶部１１は、例えば、装置内蔵型であってもよいし、外部記憶装置のような外付け型でもよい。    図１１は、第１の実施形態にかかる印象分析装置２を実現可能なハードウェア構成の一例を説明する図である。印象分析装置２（コンピュータ）を構成するハードウェアは、ＣＰＵ（Ｃｅｎｔｒａｌ  Ｐｒｏｃｅｓｓｉｎｇ  Ｕｎｉｔ）、メモリ、記録装置、通信インターフェース（Ｉ／Ｆ）を備える。印象分析装置２は、入力装置または出力装置を備えていてもよい。印象分析装置２の機能は、例えばＣＰＵが、メモリに読み出されたコンピュータプログラム（ソフトウェアプログラム、以下単に「プログラム」と記載する）を実行することにより実現される。実行に際して、ＣＰＵは、通信インターフェース、入力装置および出力装置を適宜制御する。  また、第１の実施形態にかかる各構成要素は、各構成要素毎に図１１に示すハードウェア構成を備えていても良い。  なお、本実施形態および後述する各実施形態を例として説明される本発明は、かかるプログラムが格納されたコンパクトディスク等の不揮発性の記録媒体によって構成されてもよい。記憶媒体が格納するプログラムは、例えばドライブ装置により読み出される。  印象分析装置２が実行する通信は、例えばＯＳ（Ｏｐｅｒａｔｉｎｇ  Ｓｙｓｔｅｍ）が提供する機能を使ってアプリケーションプログラムが通信インターフェースを制御することによって実現される。  印象分析装置２は、２つ以上の物理的に分離した装置が有線または無線で接続されることによって構成されていてもよい。  図１１に示すハードウェア構成例は、後述する各実施形態および各具体例にも適用可能である。なお、印象分析装置２は専用の装置であってもよい。なお、印象分析装置２およびその各機能ブロックのハードウェア構成は、上述の構成に限定されない。
【００２２】  本実施形態において、顔画像とは、特に制限されず、例えば、正面顔、横顔、又は斜め上若しくは下からの画像であってもよい。また、顔画像に髪を含んでもよいし、ピアス、イヤリング等のアクセサリーを含んでも良い。
【００２３】  本実施形態において、印象評価者とは、特に制限されず、例えば、不特定多数若しくは特定多数の者であってもよいし、利用者自身のみであってもよい。また、印象評価者は、固定しても良いし、適宜変更しても良い。印象評価者が、不特定多数の者から構成されるのであれば、一般人から見た利用者自身の顔の印象分析結果を知ることが出来る。これにより、例えば、利用者自身の魅力を引き立てる方法を知る事が出来る。  また、印象評価者が、利用者自身のみから構成されるのであれば、予め取得された顔画像に対し、評価対象者自身の見解に応じて分類選択することが出来る。特定多数の者とは、特に制限されないが、例えば、特定の業種、職種、及び属性からなる群の少なくとも一つに属する者から構成されている者をいう。特定の業種としては、例えば、接客業、銀行業、医療業、美容業等が挙げられる。職種としては、例えば、営業職、面接を行う企業の人事部等が挙げられる。職種として、好ましくは、医師等の専門職、又は美容、健康等の著名な専門家が挙げられる。属性としては、例えば、性別、年齢、特定の商品のターゲット層等が挙げられ、これらを組み合わせても良い。組み合わせたものの例として、具体的には、年配の男性層、会社員４０代男性等が挙げられる。  このように、印象評価者を特定多数の者に限定することにより、評価対象者は、自身の印象について、客観的かつ正確な評価を得ることが出来る。具体的には、例えば、印象評価者として、人事部の面接官から構成される場合、印象分析システムの利用者は、面接官に受けのいい印象を知る事が出来る。また、例えば、印象評価者として、美容の専門家から構成される場合、印象分析システムの評価対象者は、評価対象者自身のメイク後の顔画像についてより客観的かつ正確な印象分析結果を得ることが出来る。  また、例えば、印象評価者として、年配層から構成される場合、印象分析システムの利用者は、法事等でふさわしい印象を知る事が出来る。さらに、例えば、印象分析システムの利用者が、特定の商品の販売業者であって、印象評価者として、特定の商品のターゲット層から構成される場合を考える。この場合、利用者は、利用者の従業員（評価対象者）に対するターゲット層の見解を知る事ができるので、接客対応を向上することが出来る。
【００２４】  本実施形態において、印象評価における印象項目としては、特に制限されず、固定しても良いし、追加削除等適宜変更しても良い。印象項目としては、具体的には、例えば、明るさ、さわやかさ、かわいらしさ、ビジネスマンとしての見た目のよさ、やさしさ、健康っぽさ、かっこよさ、コケティッシュ、シック、エレガント、ダンディ、ワイルド等が挙げられる。また、印象項目として、例えば、不機嫌、怒っている、イライラしている、疲れている等その時の顔表情の印象が挙げられる。
【００２５】  印象評価は、特に制限されず、印象項目の評価であれば何でも良いが、特定状況に応じた印象評価であることが好ましい。特定状況に応じた印象評価とは、例えば、結婚式、法事等の冠婚葬祭、ＰＴＡ（Parent-Teacher Association）の集会、パーティー等においてふさわしい若しくはふさわしくない又はメイクに合致若しくは合致しない、特定の社の基準に適している又は適していない等が挙げられる。これにより、評価対象者は、特定状況（特定のシチュエーション）において、その場に相応しい姿かどうかを知る事ができ、それにより適宜対応する事が出来る。また、特定状況に応じた印象評価としては、特定の商品若しくはサービスから影響を受けた他人の外観の印象評価であってもよい。具体的には、例えば、映画館で特定の映画を鑑賞している状況において満足している又はつまらないと感じている、商談の場において関心を持っている又はつまらないと感じている、等が挙げられる。これにより、印象分析システム利用者は、評価対象者が、興味を持っているかどうか等の情報を知る事ができ、それにより印象分析システム利用者は、適宜対応を変えることが出来る。具体的には、例えば、特定の状況が、商談の場である場合では、評価対象者の顔画像に対する印象評価を介して、商談が成立するかどうかの予測を立てやすくなる。また、特定状況に応じた印象評価としては、他人の身体・精神状態が反映された外観に対する印象評価であっても良い。具体的には、例えば、電車のホームにおいて、自殺しそうな人、コンビニエンスストアにおいて不審者若しくは万引き犯、飲酒検問において飲酒している、等が挙げられる。これにより、例えば、予め評価対象者の行動を検知することに役立ち、犯罪予防や事故防止等に有用である。
【００２６】  印象分析結果は、例えば、数値化しても良く、具体的には、美しさ度７０点、流行メイク度９１点、明るくさわやか８５点、かわいらしい７２点等が挙げられる。また、印象分析結果は、合否判定を含んでもよく、合否判定として、具体的には、笑顔の合否判定等が挙げられる。これにより、例えば、接客業の従業員が毎日自身で笑顔チェックすることができるので、印象分析装置を接客のトレーニングツールとして利用する事が可能である。また、例えば、印象分析装置を大学のキャリアセンター又は公的な就職支援機関（例えば、ハローワーク）等に設置して就職面接の練習支援装置として利用する事が可能である。また、例えば、講演会又は講師等人前に出る仕事をしている者を対象とした練習支援装置としても利用する事が可能である。
【００２７】  印象分析結果は、例えば、印象評価者が付与した印象評価の推定結果である。印象分析結果は、さらに、推定結果に付随して、利用目的に即したアドバイス及びリコメンデーションの少なくとも一方を含むことが好ましい。アドバイスとしては、特に制限されないが、例えば、顔画像の顔立ちに合ったメイク、メガネ、若しくは髪型の推薦、顔画像のメイク若しくは笑顔などの顔表情の印象についての改善点等であっても良い。リコメンデーションとしては、例えば、顔表情の印象について改善するために適した化粧品、メガネ、ウィッグ等の商品若しくは商品を取り扱う販売店であっても良い。また、リコメンデーションとしては、例えば、冠婚葬祭等の特定の状況に適したメイク等を指導するサービス等の広告であっても良い。
【００２８】  本実施形態において、特徴点とは、特に制限されず、例えば、顔の一部（パーツ）、髪型、歯、イヤリング若しくはピアス等のアクセサリー、メガネ、化粧品等が挙げられる。顔の一部としては、例えば、眉尻、眉頭、目尻、目頭、口角、上唇、あご、瞳等が挙げられる。化粧品としては、カラーコンタクト、つけまつげ、口紅、頬紅、アイシャドー等が挙げられる。
【００２９】  本実施形態において、印象分析結果画像とは、特に制限されず、例えば、複数の印象項目毎の印象分析結果を数値化したレーダーチャート等のグラフが挙げられる。印象分析結果画像は、好ましくは、さらに、印象分析結果に基づいて、評価対象者の顔画像を加工した顔画像を含むとよい。加工した顔画像としては、特に制限されないが、例えば、アドバイスに基づいて改善されたメイク顔、整形後の顔等が挙げられる。
【００３０】  本実施形態において、印象比較結果とは、特に制限されず、具体的には、例えば、メイク前後、メガネの着用前後、若しくは、髪型の変更前後の印象比較結果、美容整形前後若しくはエステ前後の印象比較結果、スポーツジムでのトレーニング前後の印象比較結果等が挙げられる。また、印象比較結果は、例えば、印象項目毎の印象分析結果を数値化したレーダーチャート等のグラフにより表示しても良い。
【００３１】  本実施形態において、広告とは、特に制限されず、一般的な商品若しくはサービス、店舗等が挙げられる。広告として、具体的には、例えば、顔画像に対する印象に応じて、若しくは、評価対象者がなりたい印象を指定して、それに適した化粧品、メガネ、ウィッグ等の商品若しくは商品を取り扱う販売店であっても良い。また、広告として、具体的には、例えば、冠婚葬祭等の特定の状況に適したメイク等を指導するサービス等が挙げられる。
【００３２】  印象分析装置２は、さらに入力部及び出力部を含んでも良い。この場合、入力部は、特定の印象評価を入力する部、及び評価対象者の顔画像を撮像する部の少なくとも一方を含む。また、出力部は、検出された印象情報を表示する手段、並びに印象分析結果作成部により作成された印象分析結果、印象分析結果画像、広告情報、及び印象比較結果から成る群の少なくとも一つを表示する手段の少なくとも一方を含む。尚、出力部は、さらに、印象評価を入力する際に評価する顔画像を表示する手段を含んでも良い。
【００３３】  印象分析装置２は、広範な分野、業界において好適に使用可能である。具体的には、例えば、化粧品（分野）業界、結婚若しくは就職支援業界、ゲーム分野（業界）、健康分野（業界）、広告分野（業界）等が挙げられる。
【００３４】  印象分析システム１０は、クラウド形態で活用しても良い。これにより、タイムリーなトレンドに対応したシステムを提供可能である。具体的には、例えば、季節ごとのトレンドを追うようなメイクの印象分析を提供することができる。
【００３５】（印象分析方法）  つぎに本実施形態の印象分析方法について、図３を参照して説明する。本実施形態の印象分析方法は、例えば、図１に示す本実施形態の印象分析システムを用いて、次のようにして実施する。但し、本実施形態の印象分析方法は、印象分析システムを用いることに限定されない。
【００３６】  まず、本実施形態の印象分析方法の実施に先立ち、複数の顔画像を準備し、各顔画像に対する印象評価者の印象評価を取得する。具体的には、印象評価の取得方法の一例としては、例えば、出力部により、端末に表示された顔画像について、印象評価者が、顔画像に対する印象評価を入力する。次に、顔画像と、顔画像に対する印象評価者の印象評価とを関連付けて印象情報としてデータベース（記憶部１１）に記憶する。次に、学習部１２は、各顔画像から特徴部を抽出し、印象情報を参照して評価基準を生成する。
【００３７】  以下、本実施形態の印象分析方法の実施について図１及び２に示したブロック図及び図３に示すフローチャートを用いて説明する。評価対象者は、まず、入力端末１Ａにより自身の顔画像を撮像する（Ｓ１）。評価対象者の顔画像は、例えば、記憶部１１に記憶しても良い。次に、印象分析結果作成部１３は、学習部１２により生成した評価基準によって、評価対象者の顔画像を基に印象分析結果を作成する（Ｓ２）。Ｓ２の工程において、例えば、記憶部１１に記憶されている顔画像から印象分析結果を作成しても良い。次に、印象分析結果画像作成部１４は、印象分析結果作成部１３により作成された印象分析結果に基づいて、印象分析結果画像を作成する（Ｓ３）。次に、印象比較情報作成部１５は、印象分析結果作成部１３により作成された印象分析結果を比較して印象比較結果を作成する（Ｓ４）。次に、広告選択部１６は、評価対象者の印象分析結果に応じて広告を選択する（Ｓ５）。次に、出力端末１Ｂは、印象分析結果、印象分析結果画像、広告情報、及び印象比較結果を表示する（Ｓ６）。尚、Ｓ３〜Ｓ５は、任意の構成要素である。また、Ｓ３〜Ｓ５の順序は、特に制限されず、例えば、Ｓ４若しくはＳ５をＳ３に先立ち行っても良い。
【００３８】  以上、本実施形態の印象分析方法について説明したが、以下では、化粧品業界への印象分析システムの適用について具体的に説明する。
【００３９】  まず、評価対象者（女性）は、スマートフォン（入力端末）から印象評価ツールを起動する。次に、評価対象者は、スマートフォンに保存した顔画像若しくは、スマートフォンに搭載したカメラにより撮像した自身の顔画像を印象分析結果ツールにアップロードする。すると、図４（Ａ）に示すように、スマートフォン２１には、アップロードされた顔画像２２とともに「解析を開始」ボタン２３が表示される。次に、評価対象者は、「解析を開始」ボタン２３をクリックすると、スマートフォン２１の画面が、図４（Ｂ）に示す画面に切り替わる。  図４（Ｂ）では、顔画像の印象分析結果が印象チャートとしてレーダーチャート２４で表示されている。レーダーチャート２４には、図４（Ｂ）に示すように、印象項目として「フレッシュ」、「キュート」、「ヘルシー」、「ふんわり」、及び「キリッと」が５段階評価で表示されている。図４（Ｂ）では、評価対象者の印象分析結果は、フレッシュが１、キュートが１、ヘルシーが２、ふんわりが１、キリッとが２と評価されている。  尚、図４（Ｂ）に図示していないが、印象分析結果の印象評価者は、美容に関する専門家のみで構成されている。そして、レーダーチャート２４の下には、「Ｂｅｆｏｒｅ」及び「Ａｆｔｅｒ」が表示されている。ここで、「Ｂｅｆｏｒｅ」とは、顔画像の印象分析結果に対応する。「Ａｆｔｅｒ」とは、アドバイスを含む印象分析結果に基づき、顔画像を加工した（メイクシミュレーションした）場合の印象評価に対応する。そして、「Ａｆｔｅｒ」の場合では、レーダーチャート２４において、フレッシュが２、キュートが３、ヘルシーが３、ふんわりが３、キリッとが３と評価されている。そして、「Ｂｅｆｏｒｅ」及び「Ａｆｔｅｒ」の表示の下には、アドバイスとして、「目元にピンクのアイシャドーを塗ることでキュート、ふんわりが大幅にＵＰします。」と表示されている。そして、アドバイスの下には、「メイクのポイント」ボタン２５が表示されている。次に、評価対象者は、「メイクのポイント」ボタン２５をクリックすると、スマートフォンの画面が、図４（Ｃ）に示す画面に切り替わる。図４（Ｃ）では、「全体」、「眉」、「目元」、「口元」、及び「頬」のタブ２６が表示されており、「目元」が選択されている。そして、タブ２６の下に加工した顔画像の目元の拡大図２７が表示されている。そして、拡大図２７の下には、メイクのポイントに適した商品として、アイシャドー、アイライナー、及びマスカラの広告情報２８が表示されている。
【００４０】  尚、上記の例では、評価対象者のメイク後を自動でシミュレーションする場合について説明したが、これに限定されず、評価対象者がメイク前後の顔画像をそれぞれ撮像し、比較しても良い。具体的には、図４（Ｄ）に示すように、評価対象者は、メイク前の顔画像（Ｂｅｆｏｒｅ）とメイク後の顔画像（Ａｆｔｅｒ）を撮像し、図４（Ｅ）に示すように、メイク前後の顔画像を比較しても良い。
【００４１】  尚、上記の例では、評価対象者を女性として例示したが、評価対象者を男性としてメンズコスメへの適用も可能である。適用例としては、例えば、クライアント（他者）から見たビジネスマンとしての好感度の評価等が挙げられる。
【００４２】［第二の実施形態］  本実施形態の印象分析システムは、印象分析装置２Ａが、印象情報登録部と、印象情報検出部と、を含むこと以外は、第一の実施形態の印象分析システムと同一である。
【００４３】  次に、図５に、本実施形態の印象分析装置２Ａの一例の構成を示すブロック図を示す。図５に示す本実施形態の印象分析装置２Ａは、前述の通り、印象情報登録部１７と、印象情報検出部１８と、を含むこと以外は、第一の実施形態の印象分析装置２と同一である。図５に示すように、印象情報検出部１８は、通信回線網４に接続可能となっている。印象情報登録部１７は、評価対象者の顔画像と、評価対象者の識別情報と、印象分析結果作成部１３により作成された印象分析結果とを関連付けて印象情報として記憶部１１に登録する。印象情報検出部１８は、特定の印象評価と、記憶部１１に記憶された印象情報の印象分析結果と合致した印象情報を検出する。尚、図５には、第一の実施形態の印象分析結果画像作成部１４、印象比較情報作成部１５、及び広告選択部１６は図示していないが、これらは、本実施形態において含んでも良いし、含まなくても良い。
【００４４】  識別情報としては、特に制限されないが、例えば、評価対象者の氏名、年齢若しくは性別等の属性、職業、年収、出身地、学歴、得意分野、趣味、住所、電話番号、メールアドレス等が挙げられる。
【００４５】  以下、本実施形態の印象分析方法の実施について図５に示すブロック図及び図６〜７に示すフローチャートを用いて説明する。
【００４６】  まず、評価対象者の印象情報登録方法について図６のフローチャートを用いて説明する。評価対象者は、まず、入力端末により識別情報を入力する事以外は、第一の実施形態のＳ１〜Ｓ２と同様に行う（Ｓ１１〜Ｓ１２）。次に、印象情報登録部１７は、評価対象者の顔画像と、評価対象者の識別情報と、印象分析結果作成部１３により作成された印象分析結果とを関連付けて印象情報として記憶部１１に登録する（Ｓ１３）。
【００４７】  次に、印象情報検出方法について図７のフローチャートを用いて説明する。利用者は、まず、入力端末により特定の印象評価を入力する（Ｓ２１）。次に、印象情報検出部１８は、特定の印象評価と、記憶部１１に記憶された印象情報の印象分析結果と合致した印象情報を検出する（Ｓ２２）。次に、出力端末は、合致した印象情報を表示する（Ｓ２３）。
【００４８】  以上、本実施形態の印象分析方法について説明したが、以下では、結婚支援業界における印象分析システムの適用について具体的に説明する。
【００４９】  まず、利用者（女性）は、スマートフォン（入力端末）から印象分析ツールを起動する。次に、利用者は、図８（Ａ）に示すように、スマートフォン３１に搭載したカメラにより撮像した顔画像３２を印象分析ツールにアップロードする。そして、利用者は、図８（Ｂ）に示すように、顔画像の識別情報として氏名（山田  花子）、年齢（２９歳）、職業（看護師）、及び住所（○○県△△市・・・）を各入力フォーム３３に入力する。すると、印象情報登録部（図示せず）は、女性の顔画像と、識別情報と、印象分析結果作成部（図示せず）により作成された印象分析結果（美人、清楚、目が大きい）とを関連付けて印象情報としてデータベース（記憶部）に登録する。
【００５０】  次に、女性は、図８（Ｃ）に示すように、スマートフォン３１から、好みの異性のタイプ（イケメン、鼻が高い、上品）を入力フォーム３４に入力する。次に、検索開始ボタン３５をクリックすると、図８（Ｄ）に示すように、タイプと合致した顔画像３６が検出される。次に女性は、検出された顔画像からさらに好みのタイプをチェックボックス３７にチェックする。図８（Ｄ）に示すように、本例では、左上の顔画像にチェックされている。次に、識別情報ボタン３８をクリックすると、図に示すように、チェックされた顔画像の識別情報（氏名、年齢、職業、年収及び住所）が表示される。ここで、女性は、顔画像の識別情報を確認し、気に入れば、マッチングボタン３９をクリックする。すると、顔画像の男性の元に、女性の印象情報が送信される。このようにして、印象分析システムは、結婚支援システムとして好適に使用できる。
【００５１】  尚、上記の例では、結婚システムとして例示したが、これに限定されず、合コン、婚活パーティー等のセッティングにも好適に使用できる。
【００５２】  また、印象分析システムの別の例としては、具体的には、面接試験の書類選考において、特定の印象を指定して、応募者を選別するシステムとしても好適に使用できる。特定の印象としては、例えば、やる気がある、明るい、清潔感がある等が挙げられる。
【００５３】［第三の実施形態］  本実施形態では、第一の実施形態の印象分析装置を含むゲーム装置について説明する。ゲーム装置としては、例えば、印象分析装置のみであってもよいし、印象分析装置と、撮像部を含む既存のゲーム装置若しくは機器とを組み合わせてもよい。ゲーム装置として、印象分析装置を単独で使用する場合、例えば、印象分析結果としてイケメン度、美人度、色気度等を表示することにより、美人コンテスト若しくは美男子コンテスト等において、印象分析装置を利用しても良い。また、印象分析装置を、例えば、有名人、友達、若しくは昔の評価対象者との印象を比較するゲーム機器として、家庭用又はゲームセンター若しくは遊園地などのテーマパークに設置しても良い。一方、ゲーム装置として、印象分析装置を既存のゲーム装置若しくは機器とを組み合わせる場合には、既存のゲーム装置として、具体的には、例えば、プリント倶楽部（登録商標）等が挙げられる。また、ゲーム装置が、例えば、印象分析装置とプリント倶楽部（登録商標）とを組み合わせた場合には、例えば、図９に示すように、美人度をハートマークの数で表示する等により印象分析結果を写真シールに表示しても良い。さらに、プリント倶楽部（登録商標）で、例えば、かわいい度を上げて撮影したいという希望を入力すると、その効果が表れるよう自動的に目を大きくする、またはかわいらしい前髪に変更する等をして撮影できるようにしても良い。
【００５４】［第四の実施形態］  本実施形態では、第一の実施形態の印象分析装置２又は２Ａを含む体調管理装置について説明する。体調管理装置としては、例えば、印象分析装置２又は２Ａのみであってもよいし、印象分析装置と既存の体調管理装置とを組み合わせてもよい。印象分析装置２又は２Ａを単独で使用する場合は、例えば、図１０に示すように、日毎の顔画像から日々の体調記録として、体調変化を折れ線グラフによりグラフ化しても良い。この場合、例えば長距離バス運転手若しくは学生競技者の体調管理、又は入院患者、乳児若しくは子供のように明確に体調が悪いことを伝えられない者の体調管理に好適に使用可能である。また、図１０に示すように、さらに１１月３日の顔画像が、疲れているような印象分析結果であり、１１月６日の顔画像が、元気そうな印象分析結果である場合は、それらに応じたマーク及びコメントを付しても良い。印象分析装置を既存の体調管理装置と組み合わせる場合には、既存の体調管理装置として、具体的には、例えば、体温計、体重計、血圧計などと組み合わせても良いし、自動ナースコールシステム等と組み合わせても良い。
【００５５】［第五の実施形態］  本実施形態では、第一の実施形態の印象分析装置を含む広告支援装置について説明する。広告支援装置としては、例えば、印象分析装置のみであってもよいし、印象分析装置と既存の広告装置とを組み合わせてもよい。広告装置の具体例としては、例えば、電子看板（デジタルサイネージ）等が挙げられる。この場合、電子看板を閲覧している不特定多数の公衆を評価対象者として、公衆の印象分析結果を取得することにより、例えば、興味がある、買ってくれそう等、閲覧者の状態を把握する事が出来る。
【００５６】［第六の実施形態］  本実施形態のプログラムは、第一の実施形態の印象分析方法を、コンピュータ上で実行可能なプログラムである。または、本実施形態のプログラムは、例えば、記録媒体に記録されてもよい。記録媒体としては、特に限定されず、例えば、読み出し専用メモリ（ＲＯＭ）、ハードディスク（ＨＤ）、光ディスク、フロッピー（登録商標）ディスク（ＦＤ）等があげられる。
【００５７】  以上、実施形態を参照して本願発明を説明したが、本願発明は、上記実施形態に限定されるものではない。本願発明の構成や詳細には、本願発明のスコープ内で当業者が理解し得る様々な変更をすることができる。
【００５８】  以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。  この出願は、２０１４年２月１７日に出願された日本出願特願２０１４−０２７９８１を基礎とする優先権を主張し、その開示の全てをここに取り込む。
【符号の説明】
【００５９】１  入力端末及び出力端末２  印象分析装置３  サーバ４  通信回線網１０  印象分析システム１１  記憶部１２  学習部１３  印象分析結果作成部１４  印象分析結果画像作成部１５  印象比較情報作成部１６  広告選択部１７  印象情報登録部１８  印象情報検出部
【図１】
2015122195.tif 000003
【図２】
2015122195.tif 000004
【図３】
2015122195.tif 000005
【図４】
2015122195.tif 000006
【図５】
2015122195.tif 000007
【図６】
2015122195.tif 000008
【図７】
2015122195.tif 000009
【図８】
2015122195.tif 000010
【図９】
2015122195.tif 000011
【図１０】
2015122195.tif 000012
【図１１】
2015122195.tif 000013
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
予め取得された顔画像と、前記顔画像に対する印象評価者の印象評価とを関連付けて印
象情報として記憶する記憶手段と、
前記顔画像から特徴部を抽出し、前記印象情報を参照して評価基準を生成する学習手段
と、
前記学習手段により生成した評価基準によって、評価対象者の顔画像から印象分析結果
を作成する印象分析結果作成手段と、
を含むことを特徴とする印象分析装置。
【請求項２】
前記印象評価者は、特定の業種、職種、及び属性からなる群の少なくとも一つに属する
者から構成されている請求項１記載の印象分析装置。
【請求項３】
前記記憶手段は、前記顔画像に対する特定状況に応じた印象評価者の印象評価を関連付
けて前記印象情報として記憶し、
前記印象分析結果作成手段は、前記特定状況に応じて、前記印象分析結果を作成する請
求項１又は２記載の印象分析装置。
【請求項４】
前記印象分析結果は、前記印象評価者が付与した印象評価の推定結果であり、前記推定結
果に付随して、利用目的に即したアドバイス及びリコメンデーションの少なくとも一方を
含む
請求項１から３のいずれか一項に記載の印象分析装置。
【請求項５】
さらに、印象情報登録手段を含み、
前記印象情報登録手段は、前記評価対象者の顔画像と、前記評価対象者の識別情報と、
前記印象分析結果作成手段により作成された前記印象分析結果とを関連付けて印象情報と
して前記記憶手段に登録する
請求項１から４のいずれか一項に記載の印象分析装置。
【請求項６】
さらに、印象情報検出手段を含み、
前記印象情報検出手段は、特定の印象評価と、前記記憶手段に記憶された前記印象情報
の前記印象分析結果と合致した印象情報を検出する
請求項５記載の印象分析装置。
【請求項７】
さらに、印象分析結果画像作成手段を含み、
前記印象分析結果画像作成手段は、前記印象分析結果作成手段により作成された前記印
象分析結果に基づいて、印象分析結果画像を作成する請求項１から６のいずれか一項に記
載の印象分析装置。
【請求項８】
前記印象分析結果画像は、前記印象分析結果に基づいて、前記評価対象者の前記顔画像
を加工した顔画像を含む請求項７記載の印象分析装置。
【請求項９】
さらに、印象比較情報作成手段を含み、
前記印象比較情報作成手段は、前記印象分析結果作成手段により作成された前記各顔画
像の印象分析結果を比較して印象比較結果を作成する請求項１から８のいずれか一項に記
載の印象分析装置。
【請求項１０】
さらに、広告選択手段を含み、
前記広告選択手段は、前記評価対象者の前記印象分析結果に応じて広告を選択する請求
項１から９のいずれか一項に記載の印象分析装置。
【請求項１１】
さらに、入力手段及び出力手段を含み、
前記入力手段は、前記特定の印象評価を入力する手段、及び前記評価対象者の顔画像を
撮像する手段の少なくとも一方を含み、
前記出力手段は、前記検出された印象情報を表示する手段、
並びに前記印象分析結果作成手段により作成された前記印象分析結果、前記印象分析結果
画像、前記広告情報、及び前記印象比較結果からなる群の少なくとも一つを表示する手段
の少なくとも一方を含む請求項１から１０のいずれか一項に記載の印象分析装置。
【請求項１２】
請求項１から１１のいずれか一項に記載の印象分析装置を含むことを特徴とするゲーム
装置。
【請求項１３】
請求項１から１１のいずれか一項に記載の印象分析装置を含むことを特徴とする健康管
理装置。
【請求項１４】
請求項１から１１のいずれか一項に記載の印象分析装置を含むことを特徴とする広告支
援装置。
【請求項１５】
請求項１から１１のいずれか一項に記載の印象分析装置を含むサーバと、
入力端末と、出力端末と、を含み、
前記入力端末及び出力端末は、通信回線網を介して、前記サーバと接続されており、
前記入力端末は、前記特定の印象評価を入力する手段、及び前記評価対象者の顔画像を
撮像する手段の少なくとも一方を含み、
前記出力端末は、前記検出された印象情報を表示する手段、並びに前記印象分析結果作
成手段により作成された前記印象分析結果、前記印象分析結果画像、前記広告情報、及び
前記印象比較結果からなる群の少なくとも一つを表示する手段の少なくとも一方を含むこ
とを特徴とする印象分析システム。
【請求項１６】
予め取得された顔画像と、前記顔画像に対する印象評価者の印象評価とを関連付けて印
象情報として記憶手段に記憶する記憶工程と、
前記顔画像から特徴部を抽出し、前記印象情報を参照して評価基準を生成する学習工程
と、
前記学習工程により生成した評価基準によって、評価対象者の顔画像から印象分析結果
を作成する印象分析結果作成工程と、
を含むことを特徴とする印象分析方法。
【請求項１７】
前記印象評価者は、特定の業種、職種、及び属性からなる群の少なくとも一つに属する
者から構成されている請求項１６記載の印象分析方法。
【請求項１８】
前記記憶工程において、前記顔画像に対する特定状況に応じた印象評価者の印象評価を
関連付けて前記印象情報として記憶し、
前記印象分析結果作成工程において、前記特定状況に応じて、前記印象分析結果を作成
する請求項１６又は１７記載の印象分析方法。
【請求項１９】
前記印象分析結果は、前記印象評価者が付与した印象評価の推定結果であり、前記推定
結果に付随して、利用目的に即したアドバイス及びリコメンデーションの少なくとも一方
を含む請求項１６から１８のいずれか一項に記載の印象分析方法。
【請求項２０】
さらに、印象情報登録工程を含み、
前記印象情報登録工程は、前記評価対象者の顔画像と、前記評価対象者の識別情報と、
前記印象分析結果作成工程において作成された前記印象分析結果とを関連付けて印象情報
として前記記憶手段に登録する請求項１６から１９のいずれか一項に記載の印象分析方法
。
【請求項２１】
さらに、印象情報検出工程を含み、
前記印象情報検出工程は、特定の印象評価と、前記記憶手段に記憶された前記印象情報
の前記印象分析結果と合致した印象情報を検出する
請求項２０記載の印象分析方法。
【請求項２２】
さらに、印象分析結果画像作成工程を含み、
前記印象分析結果画像作成工程は、前記印象分析結果作成工程により作成された前記印
象分析結果に基づいて、印象分析結果画像を作成する請求項１６から２１のいずれか一項
に記載の印象分析方法。
【請求項２３】
前記印象分析結果画像は、前記印象分析結果に基づいて、前記評価対象者の前記顔画像
を加工した顔画像を含む請求項１６から２２のいずれか一項に記載の印象分析方法。
【請求項２４】
さらに、広告選択工程を含み、
前記広告選択工程は、前記評価対象者の前記印象分析結果に応じて広告を選択する請求
項１６から２３のいずれか一項に記載の印象分析方法。
【請求項２５】
さらに、印象比較情報作成工程を含み、
前記印象比較情報作成工程は、前記印象分析結果作成工程において作成された前記各顔
画像の印象分析結果を比較して印象比較結果を作成する請求項１６から２４のいずれか一
項に記載の印象分析方法。
【請求項２６】
さらに、入力工程及び出力工程を含み、
前記入力工程は、前記特定の印象評価を入力する工程及び前記評価対象者の顔画像を撮
像する工程の少なくとも一方を含み、
前記出力工程は、前記検出された印象情報を表示する工程、並びに前記印象分析結果、
前記印象分析結果画像、前記広告情報、及び前記印象比較結果からなる群の少なくとも一
つを表示する工程の少なくとも一方を含む請求項１６から２５のいずれか一項に記載の印
象分析方法。
【請求項２７】
請求項１６から２６のいずれか一項に記載の印象分析方法をコンピュータに実行させる
ことを特徴とするプログラム。
【国際調査報告】
2015122195.tif 000014
2015122195.tif 000015
2015122195.tif 000016
2015122195.tif 000017